(57)【要約】【課題】  動作モードの選択と同時にディスプレイを閉位置に移動させることできる「電子装置」を提供する。【解決手段】  車載用電子装置１０は、ディスプレイ１４と、ディスプレイ１４を開位置または閉位置に移動させる駆動部４８と、ディスプレイ１４が開位置に移動したとき、ディスプレイ１４に複数の動作モードのいずれかを選択するためのモード選択画面を表示する表示制御部４６と、モード選択画面から動作モードを選択するタッチパネル３２と、選択ボタンの選択に応答してディスプレイ１４を閉位置に移動させ、かつ選択された動作モードの処理を実行するマイコン５０とを有する。【選択図】      図２
2008084434.tif 000002
【特許請求の範囲】
【請求項１】
複数の動作モードを含み、各動作モードに応じた処理を実行する電子装置であって、
ディスプレイと、
ディスプレイを開位置または閉位置に移動させる移動手段と、
ディスプレイが開位置に移動されたとき、前記複数の動作モードのいずれかを選択するための複数の選択ボタンを含むモード選択画面をディスプレイに表示する表示手段と、
前記モード選択画面の複数の選択ボタンからいずれかの選択ボタンを選択する選択手段と、
前記選択ボタンの選択に応答して、ディスプレイを閉位置に移動させ、かつ前記選択された選択ボタンに対応する動作モードを実行する制御手段と、
を有する電子装置。
【請求項２】
前記ディスプレイが開位置にあるとき、外部メディアの挿入または排出が可能である、請求項１に記載の電子装置。
【請求項３】
電子装置はさらに、前記表示手段によるモード選択画面の表示の有無を設定するための設定手段を含む、請求項１に記載の電子装置。
【請求項４】
電子装置はさらに、マルチメディアデータを記憶する記憶手段と、前記記憶手段に記憶されたマルチメディアデータまたは外部メディアに記憶されたマルチメディアデータを再生する再生手段と、外部メディアに記憶されたマルチメディアデータを前記記憶手段に格納する格納手段とを含み、前記複数の動作モードは、前記記憶手段または外部メディアに記憶されたマルチメディアの再生および外部メディアから前記記憶手段へのマルチメディアの格納を含む、請求項１に記載の電子装置。
【請求項５】
前記制御手段は、ディスプレイが開位置にあって外部メディアが挿入されたとき、ディスプレイを閉位置に移動させた後、前記選択された選択ボタンに応答して外部メディアに記憶されたマルチメディアデータを記憶手段に格納する、請求項４に記載の電子装置。
【請求項６】
前記制御手段は、前記記憶手段に記憶されたマルチメディアデータの再生中に、外部メディアに記憶されたマルチメディアデータを記憶手段に格納する、請求項５に記載の電子装置。
【請求項７】
前記制御手段は、ディスプレイが開位置にあって外部メディアが排出されたとき、前記選択された選択ボタンに対応する動作モードを実行する、請求項１に記載の電子装置。
【請求項８】
前記選択手段は、ディスプレイ上に取り付けられたタッチパネルを含み、タッチパネルへの接触に基づき選択モード画面の中から選択ボタンを選択する、請求項１に記載の電子装置。
【発明の詳細な説明】
【技術分野】
【０００１】
本発明は、可動式ディスプレイを備えた電子装置に関し、特にディスプレイに表示されたモード選択画面から動作モードを選択する車載用電子装置に関する。
【背景技術】
【０００２】
近年、ナビゲーション、テレビ、オーディオ等の機能を有し、車両に搭載される複合電子装置としてＡＶＮ（Audio Visual Navigation）装置が普及している。ＡＶＮ装置は、限られたスペースを有効に利用すべく、所定のサイズ（２ＤＩＮサイズ）に収まるように設計されている。例えば、ＡＶＮ装置は、ディスプレイを含む可動式のディスプレイが前面に設けられており、ディスプレイが閉位置から開位置に移動することでＣＤやＤＶＤ等の挿入または排出を可能にするメディア挿入／排出口が露出される。このような電子機器に関する技術は、例えば特許文献１に開示されている。
【０００３】
特許文献１は、タッチパネル面の表示が見えづらくても確実にどの媒体のエジェクトキーであるかを識別できるようにする電子機器およびその排出方法を提供するものである。タッチパネルをスライドさせて複数の媒体挿入／排出口をオープンにしたとき、タッチパネル面を分割し、各分割エリアを所定の媒体の排出用タッチスイッチに割り当て、割り当てられたタッチスイッチのオンの検出に応じたメディアを排出する。
【０００４】
【特許文献１】特開２００６−１２２６２
【発明の開示】
【発明が解決しようとする課題】
【０００５】
従来のＡＶＮ装置は、ディスプレイを開位置にし、ＣＤ等のメディアを排出すると、動作モードがＣＤ挿入前の状態に戻ってしまう。例えば、ＣＤ挿入前にＡＭ／ＦＭのラジオを受信していると、ＣＤの排出後に自動的にラジオ放送の受信モードとなり、たとえ受信状態が悪くてもノイズの多いラジオ放送が出力されてしまう。
【０００６】
また、ナビゲーションモードにおいて道路地図をディスプレイに表示しているとき、ディスプレイを開位置にしてＣＤを挿入すると、ＡＶＮ装置は、道路地図を消去し、ＣＤに記録されたオーディオデータをＡＶＮ装置内のハードディスクに格納するための入力を促すメッセージとして「リッピングをしますか？」を表示し、本来、ユーザが望む次の操作と異なってしまうことがある。あるいは、上記とは反対に、ユーザがリッピングを希望しているにもかかわらず、ＣＤのオーディオデータを再生してしまうことがある。
【０００７】
さらに、ＣＤや半導体メモリカードの複数のメディアをＡＶＮ装置に挿入すると、最後に挿入されたメディアを優先してそこに記憶されたマルチメディアデータを再生するデフォルト設定であると、ユーザは、再生するメディアを切り替えなければならない。
【０００８】
本発明は、上記従来の課題を解決するために成されたものであり、可動式ディスプレイに表示されたモード選択画面を介して簡単に動作モードを設定することができる電子装置を提供することを目的とする。
【課題を解決するための手段】
【０００９】
本発明に係る電子装置は、ディスプレイと、ディスプレイを開位置または閉位置に移動させる移動手段と、ディスプレイが開位置に移動されたとき、前記複数の動作モードのいずれかを選択するための複数の選択ボタンを含むモード選択画面をディスプレイに表示する表示手段と前記モード選択画面の複数の選択ボタンからいずれかの選択ボタンを選択する選択手段と前記選択ボタンの選択に応答して、ディスプレイを閉位置に移動させ、かつ前記選択された選択ボタンに対応する動作モードを実行する制御手段とを備えている。
【００１０】
好ましくは、前記ディスプレイが開位置にあるとき、外部メディアの挿入または排出が可能である。電子装置はさらに、前記表示手段によるモード選択画面の表示の有無を設定するための設定手段を含む。電子装置はさらに、マルチメディアデータを記憶する記憶手段と、前記記憶手段に記憶されたマルチメディアデータまたは外部メディアに記憶されたマルチメディアデータを再生する再生手段と、外部メディアに記憶されたマルチメディアデータを前記記憶手段に格納する格納手段とを含み、前記複数の動作モードは、前記記憶手段または外部メディアに記憶されたマルチメディアの再生および外部メディアから前記記憶手段へのマルチメディアの格納を含む。
【００１１】
好ましくは、前記制御手段は、ディスプレイが開位置にあって外部メディアが挿入されたとき、ディスプレイを閉位置に移動させた後、前記選択された選択ボタンに応答して外部メディアに記憶されたマルチメディアデータを記憶手段に格納する。前記制御手段は、前記記憶手段に記憶されたマルチメディアデータの再生中に、外部メディアに記憶されたマルチメディアデータを記憶手段に格納する。前記制御手段は、ディスプレイが開位置にあって外部メディアが排出されたとき、前記選択された選択ボタンに対応する動作モードを実行する。前記選択手段は、ディスプレイ上に取り付けられたタッチパネルを含み、タッチパネルへの接触に基づき選択モード画面の中から選択ボタンを選択する。
【発明の効果】
【００１２】
本発明によれば、ディスプレイに表示されたモード選択画面を介して次に所望する動作モードを選択すると同時にその選択によってディスプレイを閉位置から開位置へ移動させるようにしたので、ユーザは、動作モードの設定に要する手続を従来よりも簡略化することができ、利便性が改善される。
【発明を実施するための最良の形態】
【００１３】
本発明の最良の実施の形態について図面を参照して詳細に説明する。
【実施例】
【００１４】
図１は、本発明の実施例に係る車載用電子装置（好ましくはＡＶＮ装置）の外観を示す斜視図である。図１（ａ）は、ディスプレイが閉位置の状態を示し、図１（ｂ）は、ディスプレイが開位置の状態を示している。車載用電子装置１０は、矩形状の筐体１２と、筐体１２の前面に設置された可動式ディスプレイ１４を有する。ディスプレイ１４は、表示部と入力部の両方の機能を備え、開閉操作ボタン等の入力操作を行うことにより、図１（ａ）に示す閉位置から図１（ｂ）に示す開位置にスライド若しくは回転移動させることができる。
【００１５】
ディスプレイ１４が閉位置から開位置にスライド移動すると、筐体１２に設けられたメディア挿入／排出口１６が現れる。これにより、ユーザは、メディアの挿入または排出を行うことができる。メディアは、例えばＣＤ、ＤＶＤおよびＳＤカード等の音楽データや画像データを記憶する媒体であり、これらに記憶されたマルチメディアデータを再生したり、あるいはマルチメディアデータを車載用電子装置内の記憶装置へリッピングすることができる。
【００１６】
図２は、本実施例に係る車載用電子装置の構成例を示すブロック図である。本実施例の車載用電子装置１０は、ディスプレイ１４と、システム制御部４０と、予め設定された目的地に自車を誘導するナビゲーション装置２０と、テレビまたはラジオ放送を受信し、映像または音声を出力するテレビ・ラジオ装置２２と、メディア等に記憶された楽曲を再生するオーディオ装置２４と、メディア挿入口１６を介して挿入されたポータブルメディアを接続するメディアインターフェース２６と、メディアから読み取られた楽曲等のマルチメディアデータを記憶するハードディスク（ＨＤＤ）２８を含んでいる。オーディオ装置２４は、挿入されたＣＤ、ＤＶＤおよびＳＤカード等のメディアに記憶された音楽データを再生するオーディオ再生機能以外に、マルチメディアデータをＨＤＤ２８に記憶させるリッピング機能を備えている。
【００１７】
ディスプレイ１４は、液晶等の表示部３０と、指などの接触を検知しユーザ入力を可能にするタッチパネル３２が一体化した表示ユニットから構成される。
【００１８】
システム制御部４０は、ディスプレイ１４に接続されるとともに、バス３４を介して、ナビゲーション装置２０、テレビ・ラジオ装置２２、オーディオ装置２４、メディアインターフェース２６に接続されたポータブルメディアおよびＨＤＤ２８等に接続され、ディスプレイ１４と各電子装置との間のインターフェース的な役割を果たす。車載用電子装置１０は、ユーザ入力に応答して、ナビゲーション装置２０、テレビ・ラジオ装置２２、オーディオ装置２４、ポータブルメディア、ＨＤＤ２８のいずれをソースに使用する。システム制御部４０は、選択されたソースに応じてバス３４を介して対応する電子装置の動作を制御するための制御信号を供給する。動作可能状態になった電子装置は、システム制御部４０を介し、画像データをディスプレイ１４に供給し、また音声データをスピーカに供給する。
【００１９】
また、システム制御部４０は、ディスプレイ１４の位置を検出する位置センサ４２と、タッチパネル３２への入力操作が行われたとき、入力操作を検知し、検知された座標位置データを出力する検知部４４と、動作モードを切り替えるためのモード選択画面等をディスプレイ１４に表示する表示制御部４６と、ディスプレイ１４を閉位置または開位置にスライド移動させる駆動部４８と、ＲＯＭまたはＲＡＭを含み、モード選択画面等を記憶し、各部を制御するマイクロコントローラ（以下、マイコン）５０を含んでいる。
【００２０】
次に、本実施例に係る車載用電子装置におけるモード選択動作について図３のフローチャートを参照して説明する。
【００２１】
まず、ユーザによってディスプレイ１４のオープン指示があると、駆動部４８は、マイコン５０からの指示に従い、ディスプレイ１４を閉位置から開位置へスライド移動させる（ステップＳ１０１）。ディスプレイ１４が開位置に移動されると、筐体１２に設けられたメディア挿入／排出口１６が現れ、ユーザは、メディアを挿入または排出することができる。
【００２２】
ディスプレイ１４の開位置が位置センサ４２によって検出されると（ステップＳ１０２）、その検出信号がマイコン５０に出力される。これに応答してマイコン５０は、ディスプレイ１４が開位置であることを認識し、表示制御部４６を介してディスプレイ１４にモード選択画面を表示する（ステップＳ１０３）。モード選択画面は、今までディスプレイに表示されていた画面上に表示されてもよいし、今まで表示されていた情報を消去してから表示されるようにしてもよい。
【００２３】
図４（ａ）は、ディスプレイ１４に表示されるモード選択画面の表示例である。モード選択画面は、車両用電子装置１０において利用できる複数の動作モードを示す表示ボタンＪ１〜Ｊ８により構成される。表示ボタンＪ１は、ナビゲーション装置を起動するボタン、Ｊ２はテレビ受信を起動するボタン、Ｊ３はラジオ受信を起動するボタン、Ｊ４はＨＤＤに記憶されたデータを再生するボタン、Ｊ５はＣＤに記憶されたデータを再生するボタン、Ｊ６はＤＶＤに記憶されたデータを再生するボタン、Ｊ７はポータブルデバイスを再生するボタン、Ｊ８はＣＤ、ＤＶＤ、ポータブルデバイスのデータをＨＤＤへリッピングするボタンであるユーザは、表示ボタンＪ１〜Ｊ８のいずれか１つをタッチ操作することで、表示ボタンＪ１〜Ｊ８に対応する動作モードを選択することができる。マイコン５０は、図４（ａ）に示すようなモード選択画面の画像データとともに、後述するタッチパネル３２への入力が有効か否かを判定するための入力判定用データを記憶している。
【００２４】
図４（ｂ）は、図４（ａ）に示すモード選択画面に対応する入力判定用データである。入力判定用データは、座標位置データを含み、座標位置データＲ１〜Ｒ８は、モード選択の入力を指示する表示ボタンＪ１〜Ｊ８に対応するものである。マイコン５０は、検知部４４より受け取った座標位置データが座標位置データＲ１〜Ｒ８に含まれていれば、入力操作を有効と判定し、いずれの座標位置データＲ１〜Ｒ８にも含まれていなければ、入力操作は無効と判定する。
【００２５】
次に、ユーザは、ディスプレイ１４が開位置にスライド移動することにより現れたメディア挿入／排出口１６からメディアの挿入または排出を行い（ステップＳ１０４）、引き続き、ディスプレイ１４に表示されたモード選択画面から所望の表示ボタン（動作モード）を選択する（ステップＳ１０５）。例えば、ＣＤの楽曲データをリッピングする場合、ユーザは、メディア挿入／排出口１６よりＣＤを挿入し、モード選択画面からリッピングモードを示す表示ボタンＪ８を選択する。
【００２６】
検知部４４は、ユーザの入力操作を検知し、座標位置データを出力する。マイコン５０は、図４（ｂ）に示す入力判定用データに基づき、検知部４４により出力された座標位置データからどの動作モードが選択されたかを判定する（ステップＳ１０６）。
【００２７】
動作モードが選択されたことに応答して駆動部４８は、マイコン５０の指示に従い、ディスプレイ１４を閉位置にスライド移動させ、クローズする（ステップＳ１０７）。位置センサ４２により、ディスプレイ１４の閉位置が検出されると（ステップＳ１０８）、マイコン５０は、選択された動作モードを起動する（ステップＳ１０９）。例えば、リッピングの表示ボタンＪ８が選択された場合、マイコン５０は、バス３４を介して選択されたメディアのマルチメディアデータをＨＤＤ２８に記憶する。
【００２８】
次に、本実施例に係る車載用電子装置における好ましいモード選択例を従来の選択例と対比して説明する。
図５は、従来の車載用電子装置によるＣＤ挿入時の使用例を説明するフローチャートである。従来の場合、ディスプレイが開位置にオープンされ（ステップＳ２０１）、次に、ユーザがＣＤを挿入し（ステップＳ２０２）、その後、入力操作ボタンを介してディスプレイをクローズする（ステップＳ２０３）。次に、車載用電子装置は、ＣＤをリッピングするか否かの入力ボタンをディスプレイに表示する（ステップＳ２０４）。
【００２９】
リッピングをすると選択されれば、ＣＤのリッピングが開始され（ステップＳ２０５）、また、リッピングをしないと選択されれば、ＣＤの再生動作が開始される（ステップＳ２０６）。
【００３０】
一方、本実施例の車載用電子装置では、図６に示すように、ユーザの入力操作に従いディスプレイがオープンされると（ステップＳ３０１）、ディスプレイにモード選択画面が表示される（ステップＳ３０２）。次に、ユーザによりＣＤが挿入され（ステップＳ３０３）、モード選択画面から動作モードの選択が行われると（ステップＳ３０４）、車載用電子装置は、自動的にディスプレイ１４をクローズし（ステップＳ３０５）、かつ選択された動作モードを起動する（ステップＳ３０６）。
【００３１】
図７は、従来の車載用電子装置によるＣＤ排出時の使用例を説明するフローチャートである。例えば、ＣＤの再生を終了し（ステップＳ４０１）、ユーザがディスプレイをオープンし（ステップＳ４０２）、ＣＤを排出する（ステップＳ４０３）。次に、ユーザの入力操作に従い、ディスプレイがクローズされると（ステップＳ４０４）、ＣＤを再生する動作モードの前に設定された動作モードが自動的に起動される（ステップＳ４０５）。例えば、ＣＤ再生モードの前にラジオ受信モードが設定されていた場合、ラジオの受信が行われる。
【００３２】
一方、本実施例の車載用電子装置では、図８に示すようにＣＤの再生終了後（ステップＳ５０１）、ユーザがディスプレイをオープンし（ステップＳ５０２）、ＣＤを排出する（ステップＳ５０３）。ディスプレイがオープンされると、モード選択画面が表示され、ユーザは、所望する動作モード、例えばナビゲーションを起動する表示ボタンを選択する（ステップＳ５０４）。車載用電子装置は、表示ボタンの選択に応答してディスプレイをクローズし、かつ選択された動作モードであるナビゲーションモードを起動する（ステップＳ５０５）。
【００３３】
このように本実施例の車載用電子装置によれば、ディスプレイが開いたときに、ディスプレイにモード選択画面を表示し、モード選択画面の中から所望の表示ボタンＪ１〜Ｊ８のいずれかが選択されると、この選択に応答してディスプレイを自動的に閉じるようにし、かつ、選択された表示ボタンに対応する動作モードを起動するようにしたので、ユーザのモード選択操作が簡易となり、従来と比較して利便性がよくなる。
【００３４】
また、上記実施例では、図４（ａ）に示すようなモード選択画面を表示したが、これに限らず、図９に示すようなリスト形式のモード選択画面であってもよい。表示ボタンＪ１〜Ｊ４の他に動作モードがある場合、スクロールボタンＪ１０が表示されるようにしてもよい。ユーザは、スクロールボタンＪ１０を入力操作することにより、リスト内の項目をスクロールさせ、表示されていない他の動作モードを表示することができる。
【００３５】
上記実施例では、モード選択画面の表示ボタンに対応するタッチパネル２２により入力操作を行ったが、タッチパネルに限定されるものではなく、モード選択画面に表示される動作モードを選択できる入力部であれば、リモコン等の他の入力装置であってもよい。
【００３６】
さらに上記実施例の車載用電子装置のサイズは、２ＤＩＮ（縦１００ｍｍ×横１７８ｍｍ）サイズに限定されるものではなく、１ＤＩＮ（縦５０ｍｍ×横１７８ｍｍ）サイズに可動式のディスプレイを取り付けるものであってもよい。      
【００３７】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００３８】
本発明に係る電子装置は、可動式のディスプレイを含み、また複数の動作モードを選択的に実行する電子装置において広く利用することができる。
【図面の簡単な説明】
【００３９】
【図１】本発明の車載用電子装置の外観を示す斜視図である。図１（ａ）は、ディスプレイが閉位置の状態を示す図である。図１（ｂ）は、ディスプレイが開位置の状態を示す図である。
【図２】本実施例に係る車載用電子装置の構成を示すブロック図である。
【図３】本実施例に係る車両電子装置におけるモード選択動作を説明するフローチャートである。
【図４】図４（ａ）は、モード選択画面の表示例を示す図である。図４（ｂ）は、図４（ａ）の入力操作判定用の座標位置データを説明する図である。
【図５】従来の車両電子装置によるＣＤ挿入時の使用例を説明するフローチャートである。
【図６】本実施例の車両電子装置によるＣＤ挿入時の使用例を説明するフローチャートである。
【図７】従来の車両電子装置によるＣＤ排出時の使用例を説明するフローチャートである。
【図８】本実施例の車両電子装置によるＣＤ排出時の使用例を説明するフローチャートである。
【図９】リスト形式のモード選択画面の表示例を示す図である。
【符号の説明】
【００４０】
１０：車載用電子装置                  １２：筐体（装置本体）
１４：ディスプレイ                    １６：メディア挿入／排出口
２０：ナビゲーション装置              ２２：テレビ・ラジオ装置
２４：オーディオ装置                  ２６：メディアインターフェース
２８：ハードディスク（ＨＤＤ）        ３０：表示部
３２：タッチパネル                    ３４：バス
４０：システム制御部                  ４２：位置センサ
４４：検知部                          ４６：表示制御部
４８：駆動部                          ５０：マイコン
【図１】
2008084434.tif 000003
【図２】
2008084434.tif 000004
【図３】
2008084434.tif 000005
【図４】
2008084434.tif 000006
【図５】
2008084434.tif 000007
【図６】
2008084434.tif 000008
【図７】
2008084434.tif 000009
【図８】
2008084434.tif 000010
【図９】
2008084434.tif 000011